(57)【要約】【課題】電流サンプル/ホールド回路を用いた逆多重化装置及びこれを用いたディスプレイ装置に関する。【解決手段】データ駆動部２００；入力端がデータ駆動部２００に接続され、少なくとも二つのサンプル/ホールド回路を各々含む第１及び第２サンプル/ホールド回路グループを含む逆多重化部；第１及び第２サンプル/ホールドグループの出力端と複数のデータ線ｄａｔａ［１］、ｄａｔａ［２］との間をスイッチングするスイッチング部３３０；及び走査線に選択信号を供給するための走査駆動部；を含み、第１サンプル/ホールド回路グループのサンプル/ホールド回路のうちのいずれか一つがスイッチング部３３０に電流を出力する区間の一部において他の一つがデータ電流をサンプリングし、第２サンプル/ホールド回路グループのサンプル/ホールド回路のうちのいずれか一つがスイッチング部に電流を出力する区間の一部において他の一つがデータ電流をサンプリングする。【選択図】図４
2005165281.tif 000002
【特許請求の範囲】
【請求項１】
画像信号を伝達する複数のデータ線、選択信号を伝達する複数の走査線、及び前記データ線及び前記走査線に電気的に接続される複数の画素回路を含むディスプレイ装置において、
前記画像信号に対応して時分割多重化されたデータ電流を供給するデータ駆動部と、
入力端が前記データ駆動部に接続され、少なくとも二つのサンプル/ホールド回路を各々含む第１及び第２サンプル/ホールド回路グループを含む逆多重化部と、
前記第１及び第２サンプル/ホールドグループの出力端と前記複数のデータ線との間をスイッチングするスイッチング部と、
前記走査線に前記選択信号を供給するための走査駆動部とを含み、
前記第１サンプル/ホールド回路グループの前記サンプル/ホールド回路のうちのいずれか一つが前記スイッチング部に電流を出力する区間の一部において、他の一つが前記データ電流をサンプリングし、
前記第２サンプル/ホールド回路グループの前記サンプル/ホールド回路のうちのいずれか一つが前記スイッチング部に電流を出力する区間の一部において、他の一つが前記データ電流をサンプリングすることを特徴とするディスプレイ装置。
【請求項２】
前記第１サンプル/ホールド回路グループの前記サンプル/ホールド回路は、入力端と出力端とが互いに接続された第１及び第３サンプル/ホールド回路であり、
前記第２サンプル/ホールド回路グループの前記サンプル/ホールド回路は、入力端と出力端とが互いに接続された第２及び第４サンプル/ホールド回路であることを特徴とする請求項１に記載のディスプレイ装置。
【請求項３】
前記第１及び第２サンプル/ホールド回路は、第１区間において前記データ電流を順にサンプリングし、第２区間において、前記サンプリングしたデータに対応する電流を出力し、
前記第３及び第４サンプル/ホールド回路は、前記第２区間において前記データ電流を順にサンプリングし、第３区間において、前記サンプリングしたデータに対応する電流を出力することを特徴とする請求項２に記載のディスプレイ装置。
【請求項４】
前記第１区間と前記第３区間とは実質的に同一であることを特徴とする請求項３に記載のディスプレイ装置。
【請求項５】
一つのフレームでは前記第１区間の動作が先に行われ、他の一つのフレームでは前記第２区間の動作が先に行われることを特徴とする請求項４に記載のディスプレイ装置。
【請求項６】
前記第１及び第２サンプル/ホールド回路のサンプリング順序は、一つのフレームと他の一つのフレームで互いに異なるように設定されることを特徴とする請求項３に記載のディスプレイ装置。
【請求項７】
前記第３及び第４サンプル/ホールド回路のサンプリング順序は、一つのフレームと他の一つのフレームで互いに異なるように設定されることを特徴とする請求項６に記載のディスプレイ装置。
【請求項８】
前記スイッチング部は、前記第２区間において前記第１及び第２サンプル/ホールド回路の出力電流を前記少なくとも二つのデータ線に記入し、前記第３区間において前記第３及び第４サンプル/ホールド回路の出力電流を前記少なくとも二つのデータ線に記入することを特徴とする請求項３に記載のディスプレイ装置。
【請求項９】
前記スイッチング部の動作は、前記複数の走査線のうちの偶数番目の走査線と奇数番目の走査線で互いに異なるように設定されることを特徴とする請求項８に記載のディスプレイ装置。
【請求項１０】
前記第１乃至第４サンプル/ホールド回路は、
入力される電流をサンプリングして保存し、保存されたデータに対応する電流をホールディングするデータ保存手段、
第１制御信号に応答して前記データ電流を前記データ保存手段に伝達するサンプリングスイッチ、及び
第２制御信号に応答して前記データ保存手段のホールディング電流を前記スイッチング部に印加するホールディングスイッチを含むことを特徴とする請求項３に記載のディスプレイ装置。
【請求項１１】
前記第１乃至第４サンプル/ホールド回路は、
第１電極、第２電極、及び第３電極を備え、前記第１電極と前記第２電極との電圧差によって前記第２電極から前記第３電極に流れる電流を制御するトランジスタ、
第１制御信号に応答して、第１電源を前記トランジスタの前記第２電極に連結する第１スイッチング素子、
第２制御信号に応答して、前記データ電流を前記トランジスタの前記第１電極に伝達する第２スイッチング素子、
第３制御信号に応答して、前記トランジスタをダイオード形態に連結する第３スイッチング素子、
前記トランジスタの前記第１電極及び前記第２電極間に接続されて前記データ電流に対応する電圧を保存するキャパシタ、
第４制御信号に応答して第２電源を前記トランジスタの前記第３電極に連結する第４スイッチング素子、及び
第５制御信号に応答して、前記キャパシタに保存された電圧に対応する電流を前記トランジスタの前記第２電極にホールディングする第５スイッチング素子を含むことを特徴とする請求項２に記載のディスプレイ装置。
【請求項１２】
前記第１乃至第３スイッチング素子はサンプリングの時に応答し、前記第４及び第５スイッチング素子はホールディングの時に応答することを特徴とする請求項１１に記載のディスプレイ装置。
【請求項１３】
前記第１乃至第３スイッチング素子は同一なタイプのチャンネルを有するトランジスタで構成され、前記第１乃至第３制御信号は実質的に同一な制御信号であることを特徴とする請求項１１に記載のディスプレイ装置。
【請求項１４】
前記第４及び第５スイッチング素子は同一なタイプのチャンネルを有するトランジスタで構成され、前記第４及び第５制御信号は実質的に同一な制御信号であることを特徴とする請求項１３に記載のディスプレイ装置。
【請求項１５】
前記スイッチング部は、一つのフレームにおいて、前記第１及び第２サンプル/ホールド回路グループの出力電流を前記複数のデータ線のうちの第１及び第２データ線に各々記入し、他の一つのフレームにおいて、前記第１及び第２サンプル/ホールド回路グループの出力電流を各々前記第２及び第１データ線に記入することを特徴とする請求項１に記載のディスプレイ装置。
【請求項１６】
前記画素回路に記入される電流がサンプリングされる順序は平均的に同一であることを特徴とする請求項１に記載のディスプレイ装置。
【請求項１７】
画像信号を伝達する複数のデータ線、選択信号を伝達する複数の走査線、及び前記データ線及び前記走査線に電気的に接続される複数の画素回路を含むディスプレイ装置において、
前記画像信号に対応するデータ電流を供給するデータ駆動部と、
入力端が前記データ駆動部に接続され、前記データ電流を逆多重化して出力する逆多重化部と、
前記逆多重化部の出力端と前記複数のデータ線との間をスイッチングするスイッチング部と、
前記走査線に前記選択信号を供給するための走査駆動部とを含み、
前記スイッチング部の動作は一定の周期で繰り返されることを特徴とするディスプレイ装置。
【請求項１８】
前記スイッチング部の動作は、一周期内の一つのフレームと他の一つのフレームとで異なるように設定されることを特徴とする請求項１７に記載のディスプレイ装置。
【請求項１９】
前記スイッチング部の動作は、一周期内の一つのサブフレームと他の一つのサブフレームとで異なるように設定されることを特徴とする請求項１７に記載のディスプレイ装置。
【請求項２０】
前記逆多重化部は、
入力端と出力端とが互いに接続された第１及び第３サンプル/ホールド回路を含む第１サンプル/ホールド回路グループ、及び
入力端と出力端とが互いに接続された第２及び第４サンプル/ホールド回路を含む第２サンプル/ホールド回路グループを含むことを特徴とする請求項１７に記載のディスプレイ装置。
【請求項２１】
前記第１及び第２サンプル/ホールド回路は、第１区間において前記データ電流を順にサンプリングし、第２区間において、前記サンプリングしたデータに対応する電流を出力し、
前記第３及び第４サンプル/ホールド回路は、前記第２区間において前記データ電流を順にサンプリングし、第３区間において、前記サンプリングしたデータに対応する電流を出力することを特徴とする請求項２０に記載のディスプレイ装置。
【請求項２２】
前記第１区間と前記第３区間とは実質的に同一であることを特徴とする請求項２１に記載のディスプレイ装置。
【請求項２３】
一つのフレームでは前記第１区間の動作が先に行われ、他の一つのフレームでは前記第２区間の動作が先に行われることを特徴とする請求項２２に記載のディスプレイ装置。
【請求項２４】
一つのフレームと他の一つのフレームにおいて、前記第１乃至第４サンプル/ホールド回路のサンプリング順序が互いに異なることを特徴とする請求項２１に記載のディスプレイ装置。
【請求項２５】
一つのサブフレームと他の一つのサブフレームにおいて、前記第１乃至第４サンプル/ホールド回路のサンプリング順序が互いに異なることを特徴とする請求項２１に記載のディスプレイ装置。
【請求項２６】
前記画素回路に電流を供給するサンプル/ホールド回路の平均は実質的に同一であることを特徴とする請求項２１に記載のディスプレイ装置。
【請求項２７】
画像信号を伝達する複数のデータ線、選択信号を伝達する複数の走査線、及び前記データ線及び前記走査線に電気的に接続される複数の画素回路を含むディスプレイ装置において、
前記画像信号に対応するデータ電流を供給するデータ駆動部と、
入力端が前記データ駆動部に接続される第１及び第２サンプル/ホールド回路グループを含み、前記データ電流を逆多重化して出力する逆多重化部と、
前記第１及び第２サンプル/ホールドグループの出力端と前記複数のデータ線との間をスイッチングするスイッチング部と、
前記走査線に前記選択信号を供給するための走査駆動部とを含み、
前記第１サンプル/ホールド回路グループは、入力端と出力端とが互いに接続された第１及び第３サンプル/ホールド回路を含み、
前記第２サンプル/ホールド回路グループは、入力端と出力端とが互いに接続された第２及び第４サンプル/ホールド回路を含むことを特徴とするディスプレイ装置。
【請求項２８】
前記第１及び第２サンプル/ホールド回路は、第１区間において前記データ電流を順にサンプリングし、第２区間において、前記サンプリングしたデータに対応する電流を出力し、
前記第３及び第４サンプル/ホールド回路は、前記第２区間において前記データ電流を順にサンプリングし、第３区間において、前記サンプリングしたデータに対応する電流を出力することを特徴とする請求項２７に記載のディスプレイ装置。
【請求項２９】
前記第１区間と前記第３区間とは実質的に同一であることを特徴とする請求項２８に記載のディスプレイ装置。
【請求項３０】
データ駆動部から時分割されて入力されるデータ電流を少なくとも二つの信号線に記入するための逆多重化装置において、
入力端が前記データ駆動部に接続された第１及び第２サンプル/ホールド回路グループを含み、前記データ電流を逆多重化して出力する逆多重化部と、
前記第１及び第２サンプル/ホールドグループの出力端と前記信号線との間をスイッチングするスイッチング部とを含み、
前記第１サンプル/ホールド回路グループは、入力端と出力端とが互いに接続された第１及び第３サンプル/ホールド回路を含み、前記第２サンプル/ホールド回路グループは、入力端と出力端とが互いに接続された第２及び第４サンプル/ホールド回路を含むことを特徴とする逆多重化装置。
【請求項３１】
前記第１及び第２サンプル/ホールド回路は、第１区間において入力される前記データ電流を順にサンプリングし、第２区間において、前記サンプリングしたデータに対応する電流を出力し、
前記第３及び第４サンプル/ホールド回路は、前記第２区間において前記データ電流を順にサンプリングし、第３区間において、サンプリングして保存したデータに対応する電流を出力することを特徴とする請求項３０に記載の逆多重化装置。
【請求項３２】
前記第１区間と前記第３区間とは実質的に同一であることを特徴とする請求項３１に記載の逆多重化装置。
【請求項３３】
時分割されて順に入力されるデータ電流を少なくとも二つの信号線に出力するための逆多重化方法において、
第１区間において、第１及び第２サンプル/ホールド回路が所定の順に前記データ電流をサンプリングする段階と、
第２区間において、前記第１及び第２サンプル/ホールド回路が前記サンプリングして保存したデータに対応する電流を前記信号線にホールディングし、第３及び第４サンプル/ホールド回路が前記データ電流をサンプリングする段階と、
第３区間において、前記第３及び第４サンプル/ホールド回路が前記サンプリングして保存したデータに対応する電流を前記信号線にホールディングする段階と、
を含むことを特徴とする逆多重化方法。
【請求項３４】
一つのフレームと他の一つのフレームにおいて、前記第１乃至第４サンプル/ホールド回路のサンプリング順序が互いに異なることを特徴とする請求項３３に記載の逆多重化方法。
【請求項３５】
一つのサブフレームと他の一つのサブフレームにおいて、前記第１乃至第４サンプル/ホールド回路のサンプリング順序が互いに異なることを特徴とする請求項３３に記載の逆多重化方法。
【請求項３６】
前記第１乃至第４サンプル/ホールド回路が前記データ電流をサンプリングする順序は平均的に同一であることを特徴とする請求項３３に記載の逆多重化方法。
【発明の詳細な説明】
【技術分野】
【０００１】
本発明はディスプレイ装置に係り、特に、ディスプレイ装置におけるデータ電流を時分割逆多重化するための逆多重化装置に関する。
【背景技術】
【０００２】
図１５は、電流の逆多重化が必要な電流駆動ディスプレイ装置の例であって、ＡＭＯＬＥＤ（Active  Matrix  Organic  Light  Emitting  Diode）ディスプレイ装置を示したものである。
【０００３】
前記電流駆動ディスプレイ装置は、有機ＥＬ表示パネル１００、Ｌ個の原データを１回線で伝送できるように時分割多重化したデータ電流を提供するデータ駆動部２００、前記データ電流を１：Ｌ逆多重化する逆多重化器（DeMUX）３００、複数の走査線に各々選択信号と発光信号を順に印加するための第１及び第２の走査駆動部４００、５００を含む。
【０００４】
第１走査駆動部４００によって選択信号が印加された走査線（Ｓｅｌｅｃｔ１［１］〜Ｓｅｌｅｃｔ１［ｍ］）に属する画素１０には所定のデータ電流が提供され、第２走査駆動部５００により発光信号が印加されると、データ電流に対応する色相を表現する。ここで、データ駆動部２００に含まれたＩＣ（集積回路）の個数を減らすために電流逆多重化器３００が用いられる。つまり、データ駆動部２００から提供された電流は逆多重化器３００で１：Ｎ逆多重化され、Ｎ個のデータ線（ｄａｔａ［１］−ｄａｔａ［ｎ］）に対応する画素に供給される。前記逆多重化器３００を使用することにより、データ駆動部２００のＩＣの個数が減って購入費用が節減される。
【０００５】
図１６は、従来技術の時分割逆多重化器に用いられるアナログスイッチを示したものである。
【０００６】
図１６に示された１：２逆多重化器は、スイッチ（Ｓ１、Ｓ２）を交互にオン、オフすることによってデータ電流を２つのデータ線に交互に出力する。一方、電流駆動パネルで高解像度を実現するためには、画素１０にデータを記入するのに多くの時間が必要である。
【発明の開示】
【発明が解決しようとする課題】
【０００７】
しかしながら、前記従来技術では、交互にスイッチングされるごとに画素にデータを記入しなければならないので、データ駆動部２００に含まれたＩＣの個数を減らすためには、データ記入時間を減少させなければならない短所があった。したがって、従来の逆多重化器は高解像度のディスプレイ装置には不適合であった。  
本発明の目的は、データ記入時間を短縮せずに、データ駆動部に含まれたＩＣの個数を減らすことができる逆多重化装置及び方法を提供することにある。  
本発明の他の目的は、高解像度のディスプレイ装置に適した逆多重化装置及び方法を提供することにある。
【課題を解決するための手段】
【０００８】
前記目的を達成するための本発明の一つの特徴によるディスプレイ装置は、画像信号を伝達する複数のデータ線、選択信号を伝達する複数の走査線、及び前記データ線及び前記走査線に電気的に接続される複数の画素回路を含むディスプレイ装置であって、前記画像信号に対応して時分割多重化されたデータ電流を供給するデータ駆動部；入力端が前記データ駆動部に接続され、少なくとも二つのサンプル/ホールド回路を各々含む第１及び第２サンプル/ホールド回路グループを含む逆多重化部；前記第１及び第２サンプル/ホールドグループの出力端と前記複数のデータ線との間をスイッチングするスイッチング部；及び前記走査線に前記選択信号を供給するための走査駆動部；を含み、前記第１サンプル/ホールド回路グループの前記サンプル/ホールド回路のうちのいずれか一つが前記スイッチング部に電流を出力する区間の一部において、他の一つが前記データ電流をサンプリングし、前記第２サンプル/ホールド回路グループの前記サンプル/ホールド回路のうちのいずれか一つが前記スイッチング部に電流を出力する区間の一部において、他の一つが前記データ電流をサンプリングする。
【０００９】
本発明の他の特徴によるディスプレイ装置は、画像信号を伝達する複数のデータ線、選択信号を伝達する複数の走査線、及び前記データ線及び前記走査線に電気的に接続される複数の画素回路を含むディスプレイ装置であって、前記画像信号に対応するデータ電流を供給するデータ駆動部；入力端が前記データ駆動部に接続され、前記データ電流を逆多重化して出力する逆多重化部；前記逆多重化部の出力端と前記複数のデータ線との間をスイッチングするスイッチング部；及び前記走査線に前記選択信号を供給するための走査駆動部；を含み、前記スイッチング部の動作は一定の周期で繰り返される。
【００１０】
本発明のまた他の特徴によるディスプレイ装置は、画像信号を伝達する複数のデータ線、選択信号を伝達する複数の走査線、及び前記データ線及び前記走査線に電気的に接続される複数の画素回路を含むディスプレイ装置であって、前記画像信号に対応するデータ電流を供給するデータ駆動部；入力端が前記データ駆動部に接続される第１及び第２サンプル/ホールド回路グループを含み、前記データ電流を逆多重化して出力する逆多重化部；前記第１及び第２サンプル/ホールドグループの出力端と前記複数のデータ線との間をスイッチングするスイッチング部；及び前記走査線に前記選択信号を供給するための走査駆動部；を含み、前記第１サンプル/ホールド回路グループは、入力端と出力端とが互いに接続された第１及び第３サンプル/ホールド回路を含み、前記第２サンプル/ホールド回路グループは、入力端と出力端とが互いに接続された第２及び第４サンプル/ホールド回路を含む。
【００１１】
本発明の一つの特徴による逆多重化装置は、データ駆動部から時分割されて入力されるデータ電流を少なくとも二つの信号線に記入するための逆多重化装置であって、入力端が前記データ駆動部に接続された第１及び第２サンプル/ホールド回路グループを含み、前記データ電流を逆多重化して出力する逆多重化部；及び前記第１及び第２サンプル/ホールドグループの出力端と前記信号線との間をスイッチングするスイッチング部；を含み、前記第１サンプル/ホールド回路グループは、入力端と出力端とが互いに接続された第１及び第３サンプル/ホールド回路を含み、前記第２サンプル/ホールド回路グループは、入力端と出力端とが互いに接続された第２及び第４サンプル/ホールド回路を含む。
【００１２】
本発明の一つの特徴による逆多重化方法は、時分割されて順に入力されるデータ電流を少なくとも二つの信号線に出力するための逆多重化方法であって、第１区間において、第１及び第２サンプル/ホールド回路が所定の順に前記データ電流をサンプリングする段階；第２区間において、前記第１及び第２サンプル/ホールド回路が前記サンプリングして保存したデータに対応する電流を前記信号線にホールディングし、第３及び第４サンプル/ホールド回路が前記データ電流をサンプリングする段階；及び第３区間において、前記第３及び第４サンプル/ホールド回路が前記サンプリングして保存したデータに対応する電流を前記信号線にホールディングする段階；を含む。
【発明の効果】
【００１３】
本発明によれば、データ記入時間を減少せずにデータ駆動部のＩＣの個数を減らすことができ、逆多重化器を提供することができる。  
また、ディスプレイ装置の全てのデータ線に実質的に同一な電流が流れるようにすることができ、ディスプレイパネルに現れる一定に反復される点紋が除去できる。
【発明を実施するための最良の形態】
【００１４】
以下、本発明の実施例を図面を参照して詳細に説明する。
【００１５】
以下の説明において、ある部分が他の部分に連結されているとする場合、これは直接連結（接続）されている場合だけでなく、他の素子を隔てて電気的に連結（接続）されている場合も含む。また、本発明を明確に説明するために、説明と関係のない部分は図面から省略しており、明細書全体を通じて類似した部分については同一な図面符号を付けた。
【実施例１】
【００１６】
図１は、本発明の第１実施例による逆多重化器３００を概念的に示したブロック図である。図１に示されているように、本発明の第１実施例による逆多重化器３００は、データ保存手段３１、３２、３３、３４、サンプリングスイッチ（Ｓ１、Ｓ２、Ｓ３、Ｓ４）とホールディングスイッチ（Ｈ１、Ｈ２、Ｈ３、Ｈ４）を各々含む４個のサンプル/ホールド回路を用いる。データ保存手段３１、３２、３３、３４はサンプリングスイッチ（Ｓ１、Ｓ２、Ｓ３、Ｓ４）によってデータ駆動部２００に接続され、ホールディングスイッチ（Ｈ１、Ｈ２、Ｈ３、Ｈ４）によってデータ線（ｄａｔａ［１］、ｄａｔａ［２］）に各々接続される。
【００１７】
一方、本発明で用いられる用語である“サンプル”、“ホールド”について以下の通りに定義する。サンプル/ホールド回路の動作を見てみると、サンプリングスイッチによって流れる電流をサンプリングし、電圧形態にデータ保存手段に記録する動作と、サンプリングスイッチとホールディングスイッチが全て開いていて、記録されたデータを維持しながら待機する状態と、ホールディングスイッチによって記録されたデータに対応する電流をデータ線に供給する動作とを含む。したがって、本発明の明細書では、各々の段階を明確に区別するために、前記各々の段階を“サンプリング段階”、“待機段階”、“ホールディング段階”と定義する。
【００１８】
以下、本発明の一実施例によるサンプル/ホールド回路の内部構成を詳細に説明する。但し、逆多重化器３００に用いられる４個のサンプル/ホールド回路は実質的に互いに同一に構成されるので、以下では、第１サンプル/ホールド回路に対する説明をもって残りのサンプル/ホールド回路の説明に代える。
【００１９】
図２（Ａ）は、本発明の一実施例による第１サンプル/ホールド回路を示したものであり、図２（Ｂ）は、図２（Ａ）に示された回路の等価回路を示したものである。
【００２０】
本発明の一実施例による第１サンプル/ホールド回路は、図２（Ｂ）に示したように、トランジスタ（Ｍ１）、キャパシタ（Ｃｈ）、サンプリングスイッチ（Ｓａ、Ｓｂ、Ｓｃ）、及びホールディングスイッチ（Ｈａ、Ｈｂ）を含む。
【００２１】
ここで、サンプリングスイッチ（Ｓａ、Ｓｂ、Ｓｃ）は図２（Ａ）のスイッチ（Ｓ１）を意味し、実質的に同一な制御信号によってオン−オフされる。ホールディングスイッチ（Ｈａ、Ｈｂ）は図２（Ａ）のスイッチ（Ｈ１）を意味し、実質的に同一な制御信号によってオン−オフされる。
【００２２】
サンプリングスイッチ（Ｓａ）は電源（ＶＤＤ）とトランジスタ（Ｍ１）のソースとの間に接続され、ホールディングスイッチ（Ｈａ）は電源（ＶＳＳ）とトランジスタ（Ｍ１）のドレーンとの間に接続される。サンプリングスイッチ（Ｓｂ）の一端はトランジスタ（Ｍ１）のゲートに接続され、他端はサンプリングスイッチ（Ｓｃ）の一端に接続され、サンプリングスイッチ（Ｓｃ）の他端はトランジスタ（Ｍ１）のドレーンに接続される。これで、サンプリングスイッチ（Ｓｂ、Ｓｃ）が閉じている場合、トランジスタ（Ｍ１）はダイオード連結を形成するようになる。
【００２３】
以下、本発明の一実施例による第１サンプル/ホールド回路の動作を詳細に説明する。サンプリングスイッチ（Ｓａ、Ｓｂ、Ｓｃ）が閉じており、ホールディングスイッチ（Ｈａ、Ｈｂ）が開いている場合、トランジスタ（Ｍ１）は、ゲートとソースとが連結されてダイオード連結が形成され、電流はトランジスタ（Ｍ１）を経由して電源（ＶＤＤ）からデータ駆動部２００に流れる。この時、キャパシタ（Ｃｈ）には、トランジスタ（Ｍ１）に流れる電流に対応するゲート及びソース間電圧が充電される。この時、第１サンプル/ホールド回路はデータのサンプリング動作を行う。
【００２４】
従って、サンプリングスイッチＳａ、Ｓｂ、Ｓｃが閉じられ、ホールディングスイッチＨａ、Ｈｂが開かれている場合には、電流は電源線ＶＤＤからトランジスタＭ１を通って入力線に流れ、この時のゲート・ソース間電圧がキャパシタＣｈに保存される。次いで、サンプリングスイッチＳａ、Ｓｂ、Ｓｃが開き、ホールディングスイッチＨａ、Ｈｂが閉じられると、切換えの瞬間に保存されたゲート・ソース間電圧に応じて、サンプリング時の入力電流と同じ大きさの電流が電源線ＶＤＤからトランジスタＭ１を通って出力線に流れだすことになる。
【００２５】
つまり、サンプリング回路は電流・電圧変換するアナログメモリであり、ホールディング回路は電圧・電流変換するメモリ読み出し装置であって、瞬間的に電流入力値を記憶し、その後、長時間に亘って電流を出力できる。
【００２６】
ここで、サンプリングスイッチ（Ｓａ、Ｓｂ、Ｓｃ）及びホールディングスイッチ（Ｈａ、Ｈｂ）が全て開いていれば、第１サンプル/ホールド回路は待機状態となる。前記待機状態は、逆多重化器３００のまた他のサンプル/ホールド回路がデータ線にデータをホールディングしている間に待機している状態である。
【００２７】
サンプリングスイッチ（Ｓａ、Ｓｂ、Ｓｃ）が開いており、ホールディングスイッチ（Ｈａ、Ｈｂ）が閉じていれば、前記キャパシタ（Ｃｈ）に充電されたゲート及びソース間電圧に対応する電流が、トランジスタ（Ｍ１）のソースからドレーンに一定に維持されて流れる。この時、第１サンプル/ホールド回路はデータ記入動作を行い、データ線を通じてデータをホールディングする。
【００２８】
このように、時分割逆多重化回路は、１出力回線毎に入力信号サンプリング回路と出力信号ホールディング回路を備え、サンプリング回路は電流・電圧変換するアナログメモリであり、ホールディング回路は電圧・電流変換するメモリ読み出し装置であって、瞬間的に電流入力値を記憶し、その後、長時間に亘って電流を出力できるから、従来技術の短所であるデータ記入時間の減少を防止しながら、時分割の単位時間を短縮できて、多重度を高めることが容易であり、画素列毎に必要な多くの集積回路を共通化できるので、所要部品数とモジュール間接続配線本数を低減できる効果がある。
【００２９】
図２（Ｂ）において、トランジスタ（Ｍ１）を、Ｐタイプのチャンネルを有するトランジスタを図示したが、第１電極、第２電極、及び第３電極を備え、第１電極及び第２電極に印加される電圧によって第３電極で流れる電流を制御する能動素子に実現することもできる。
【００３０】
また、図２（Ｂ）ではサンプル/ホールド回路として一つの回路を図示したが、本発明の範囲が特定のサンプル/ホールド回路に限られるわけではなく、サンプル/ホールド回路を利用して以下で説明する逆多重化動作を行うことができる全ての逆多重化部に本発明の概念をそのまま適用できる。
【００３１】
以下、図３を参照して、本発明の第１実施例による逆多重化器３００の動作を説明する。
【００３２】
図３は、本発明の第１実施例による逆多重化器３００に印加される制御信号の波形を示したものである。以下で、サンプリングスイッチ（Ｓ１、Ｓ２、Ｓ３、Ｓ４）は、印加される制御信号が低い時に閉じ、ホールディングスイッチ（Ｈ１、Ｈ２、Ｈ３、Ｈ４）は、印加される制御信号が高い時に閉じると仮定する。
【００３３】
まず、サンプリングスイッチ（Ｓ１、Ｓ２）が順に閉じると、データ保存手段３１、３２はデータ電流を入力してサンプリング動作を行う。
【００３４】
その後、サンプリングスイッチ（Ｓ３、Ｓ４）が順に閉じてデータ保存手段３３、３４がサンプリング動作を行う。この時、選択信号（Ｓｅｌｅｃｔ［１］）が印加され、ホールディングスイッチ（Ｈ１、Ｈ２）が閉じるので、データ保存手段３１、３２にサンプリングされれいた電流がデータ線（ｄａｔａ［１］、ｄａｔａ［２］）にホールディングされ、画素に記入される。
【００３５】
その後、選択信号（Ｓｅｌｅｃｔ［２］）が印加されホールディングスイッチ（Ｈ３、Ｈ４）が閉じていれば（図示せず）、データ保存手段３３、３４にサンプリングされていた電流がデータ線（ｄａｔａ［１］、ｄａｔａ［２］）にホールディングされ、画素に記入される。
【００３６】
前記動作が反復的に行われ、逆多重化器３００は、データ駆動部２００から出力されたデータ電流を逆多重化してデータ線（ｄａｔａ［１］、ｄａｔａ［２］）に提供する。
【００３７】
本発明の第１実施例による逆多重化器３００は、二つのサンプル/ホールド回路がデータ線を通じてデータをホールディングしている間、残りの二つのサンプル/ホールド回路がデータ駆動部２００からデータ電流を順にサンプリングすることによって、データ記入時間を延長することができる。
【００３８】
しかし、本発明の第１実施例による逆多重化器３００を実際に使用した結果、表示パネル１００に一定に繰り返される点紋が生じる現象があった。これは、逆多重化器３００に含まれた４個のサンプル/ホールド回路の特性差またはデータ電流をサンプリングする順序によることで、４個のサンプル/ホールド回路が互いに同一なデータ電流をサンプリングしたとしても、ホールディングされる電流は互いに同一でなかったからである。
【００３９】
このような問題を解決するために、以下の実施例では、各々の画素に４個のサンプル/ホールド回路が互いに同じ回数にデータ電流を供給するようにして、実質的に４個のサンプル/ホールド回路の出力電流の平均値が画素に供給されるようにする。
【実施例２】
【００４０】
本発明の第２実施例では、４個のサンプル/ホールド回路とこの回路からデータ電流の供給を受ける画素との対応関係が互いに異なる４個のフレームを繰り返すことにより、４個のサンプル/ホールド回路の出力電流の平均値が画素に供給されるようにする。
【００４１】
以下、図４乃至図８を参照して、本発明の第２実施例による逆多重化器３００を詳細に説明する。
【００４２】
図４は、本発明の第２実施例による逆多重化器３００を示したものである。図４に示されているように、本発明の第２実施例による逆多重化器３００は、第１サンプル/ホールド回路グループ３１０、第２サンプル/ホールド回路グループ３２０、及びスイッチング部３３０を含む。
【００４３】
第１及び第２サンプル/ホールド回路グループ３１０、３２０は、データ駆動部２００からのデータ電流を逆多重化して出力し、スイッチング部３３０は、第１及び第２サンプル/ホールド回路グループ３１０、３２０の出力端とデータ線（ｄａｔａ［１］、ｄａｔａ［２］）との間をスイッチングする。
【００４４】
本発明の第２実施例による逆多重化器３００の動作について、図５乃至図８を参照して詳細に説明する。図５乃至図８では、説明の便宜上、データ線（ｄａｔａ［１］、ｄａｔａ［２］）と走査線（ｓｅｌｅｃｔ［１］、ｓｅｌｅｃｔ［２］）に各々連結される４個の画素を示した。
【００４５】
図５は、逆多重化器３００に連結された画素グループを例として示したものであり、図６は、図５に示された画素に電流を記入するサンプル/ホールド回路の番号を、本発明の第２実施例にしたがって示したものである。具体的には、本発明の第２実施例によると、フレーム１において画素１ａに電流を記入するものは第１サンプル/ホールド回路であり、画素１ｂには第２サンプル/ホールド回路が電流を記入する。
【００４６】
図７（Ａ）乃至図７（Ｄ）は、フレーム１乃至４における逆多重化器３００に印加される制御信号の波形図であり、図８は、フレーム１乃至４におけるスイッチング部３３０の動作を示したものである。また、図７（Ａ）乃至図７（Ｄ）には、画素１ａ、１ｂに電流を記入する間の制御信号の波形のみを示した。
【００４７】
フレーム１において、図７（Ａ）に示されているように、サンプリングスイッチ（Ｓ１、Ｓ２、Ｓ３、Ｓ４）が順に閉じて、データ保存手段３１、３２、３３、３４はデータ駆動部２００から入力されるデータ電流を順にサンプリングする。この時、データ駆動部２００は、画素１ａ、１ｂ、２ａ、２ｂに記入されるデータ電流順にデータ電流を出力するので、データ保存手段３１、３２、３３、３４は各々画素１ａ、１ｂ、２ａ、２ｂに記入されるデータ電流をサンプリングする。
【００４８】
サンプリングスイッチ（Ｓ１、Ｓ２）が閉じている間にホールディングスイッチ（Ｈ３、Ｈ４）が閉じるが、選択信号（Ｓｅｌｅｃｔ［１］）が印加される前であるので、データ線（ｄａｔａ［１］、ｄａｔａ［２］）には電流がホールディングされない。
【００４９】
サンプリングスイッチ（Ｓ３、Ｓ４）が閉じている間、選択信号（Ｓｅｌｅｃｔ［１］）が画素１ａ、１ｂに印加されてホールディングスイッチ（Ｈ１、Ｈ２）が閉じ、データ保存手段３１、３２がスイッチング部３３０を通じてデータ線（ｄａｔａ［１］、ｄａｔａ［２］）に電流をホールディングする。
【００５０】
フレーム１におけるスイッチング部３３０の動作は、図８に示されているように、第１サンプル/ホールド回路グループ３１０の出力電流をデータ線（ｄａｔａ［１］）に提供し、第２サンプル/ホールド回路グループ３２０の出力電流をデータ線（ｄａｔａ［２］）に提供する。
【００５１】
したがって、データ保存手段３１のホールディング電流がデータ線（ｄａｔａ［１］）を通じて画素１ａに記入され、データ保存手段３２のホールディング電流がデータ線（ｄａｔａ［２］）を通じて画素１ｂに記入される。
【００５２】
その後、画素２ａ、２ｂにデータ電流を記入する動作（図示せず）が行われる。具体的には、サンプリングスイッチ（Ｓ１、Ｓ２）が順に閉じてデータ保存手段３１、３２がデータ電流をサンプリングする。この時、選択信号（Ｓｅｌｅｃｔ［２］）が印加され、ホールディングスイッチ（Ｈ３、Ｈ４）が閉じて、データ保存手段３３、３４のホールディング電流がデータ線（ｄａｔａ［１］、ｄａｔａ［２］）を通じて画素２ａ、２ｂに記入される。
【００５３】
これで、フレーム１の画素１ａには第１サンプル/ホールド回路のホールディング電流が、画素１ｂには第２サンプル/ホールド回路のホールディング電流が、画素２ａには第３サンプル/ホールド回路のホールディング電流が、画素２ｂには第４サンプル/ホールド回路のホールディング電流が記入される。
【００５４】
フレーム２では、図７（Ｂ）に示されているように、サンプリングスイッチ（Ｓ２、Ｓ３、Ｓ４、Ｓ１）が順に閉じるようになる。
【００５５】
サンプリングスイッチ（Ｓ２、Ｓ３）が閉じている間、データ保存手段３２、３３が順にサンプリング動作を行う。
【００５６】
サンプリングスイッチ（Ｓ４、Ｓ１）が順に閉じている間、データ保存手段３４、３１が順にサンプリング動作を行う。また、選択信号（Ｓｅｌｅｃｔ［１］）が印加されてホールディングスイッチ（Ｈ２、Ｈ３）が閉じ、データ保存手段３２、３３のホールディング電流がスイッチング部３３０を通じてデータ線（ｄａｔａ［１］、ｄａｔａ［２］）に記入される。
【００５７】
フレーム２でのスイッチング部３３０の動作は、図８に示されているように、第１サンプル/ホールド回路グループ３１０の出力電流をデータ線（ｄａｔａ［２］）に提供し、第２サンプル/ホールド回路グループ３２０の出力電流をデータ線（ｄａｔａ［１］）に提供する。
【００５８】
したがって、データ保存手段３２のホールディング電流がデータ線（ｄａｔａ［１］）を通じて画素１ａに記入され、データ保存手段３３のホールディング電流がデータ線（ｄａｔａ［２］）を通じて画素１ｂに記入される。
【００５９】
その後、画素２ａ、２ｂに選択信号（Ｓｅｌｅｃｔ［２］）が印加され、ホールディングスイッチ（Ｈ１、Ｈ４）が閉じて、データ保存手段３１、３４がサンプリングしておいたデータに対応する電流を、スイッチング部３３０を通じて各々データ線（ｄａｔａ［２］、ｄａｔａ［１］）にホールディングする。
【００６０】
したがって、データ保存手段３１の電流がデータ線（ｄａｔａ［２］）を通じて画素２ｂに記入され、データ保存手段３４の電流がデータ線（ｄａｔａ［１］）を通じて画素２ａに記入される。
【００６１】
これで、フレーム２の画素１ａには第２サンプル/ホールド回路のホールディング電流が、画素１ｂには第３サンプル/ホールド回路のホールディング電流が、画素２ａには第４サンプル/ホールド回路のホールディング電流が、画素２ｂには第１サンプル/ホールド回路のホールディング電流が印加される。
【００６２】
フレーム３ではサンプリングスイッチ（Ｓ３、Ｓ４、Ｓ１、Ｓ２）が順に閉じて、データ保存手段３３、３４、３１、３２が順にデータ電流をサンプリングする。
【００６３】
サンプリングスイッチ（Ｓ１、Ｓ２）が閉じている間、選択信号（Ｓｅｌｅｃｔ［１］）が画素１ａ、１ｂに印加されるが、この時、ホールディングスイッチ（Ｈ３、Ｈ４）が閉じて、データ保存手段３３、３４がスイッチング部３３０を通じてデータ線（ｄａｔａ［１］、ｄａｔａ［２］）に電流をホールディングする。
【００６４】
フレーム３において、スイッチング部３３０は、図８に示されているように、第１サンプル/ホールド回路グループ３１０の出力電流をデータ線（ｄａｔａ［１］）に伝達し、第２サンプル/ホールド回路グループ３２０の出力電流をデータ線（ｄａｔａ［２］）に伝達する。
【００６５】
したがって、データ保存手段３３のホールディング電流がデータ線（ｄａｔａ［１］）を通じて画素１ａに記入され、データ保存手段３４のホールディング電流がデータ線（ｄａｔａ［２］）を通じて画素１ｂに記入される。
【００６６】
その後、選択信号（Ｓｅｌｅｃｔ［２］）が印加されると、データ保存手段３１、３２にサンプリングされていたデータに対応する電流が出力され、スイッチング部３３０によってデータ保存手段３１のホールディング電流が画素２ａに記入され、データ保存手段３２のホールディング電流が画素２ｂに記入される。
【００６７】
これで、フレーム３の画素１ａには第３サンプル/ホールド回路のホールディング電流が、画素１ｂには第４サンプル/ホールド回路のホールディング電流が、画素２ａには第１サンプル/ホールド回路のホールディング電流が、画素２ｂには第２サンプル/ホールド回路のホールディング電流が印加される。
【００６８】
フレーム４ではサンプリングスイッチ（Ｓ４、Ｓ１、Ｓ２、Ｓ３）が順に閉じて、データ保存手段３４、３１、３２、３３が順にデータ電流をサンプリングする。
【００６９】
サンプリングスイッチ（Ｓ４、Ｓ１）が閉じている間、データ保存手段３４、３１が順にサンプリング動作を行う。
【００７０】
サンプリングスイッチ（Ｓ２、Ｓ３）が閉じている間、データ保存手段３２、３３が順にサンプリング動作を行う。また、選択信号（Ｓｅｌｅｃｔ［１］）が画素１ａ、１ｂに印加され、ホールディングスイッチ（Ｈ１、Ｈ４）が閉じて、データ保存手段３１、３４のホールディング電流がスイッチング部３３０を通じてデータ線（ｄａｔａ［１］、ｄａｔａ［２］）に記入される。
【００７１】
フレーム４において、スイッチング部３３０は、図８に示されているように、第１サンプル/ホールド回路グループ３１０の出力電流をデータ線（ｄａｔａ［２］）に提供し、第２サンプル/ホールド回路グループ３２０の出力電流をデータ線（ｄａｔａ［１］）に提供する。
【００７２】
したがって、データ保存手段３１のホールディング電流がデータ線（ｄａｔａ［２］）を通じて画素１ｂに記入されて、データ保存手段３４のホールディング電流がデータ線（ｄａｔａ［１］）を通じて画素１ａに記入される。
【００７３】
その後、画素２ａ、２ｂに選択信号（Ｓｅｌｅｃｔ［２］）が印加され、データ保存手段３２、３３がサンプリングしておいたデータに対応する電流を、スイッチング部３３０を通じて各々データ線（ｄａｔａ［１］、ｄａｔａ［２］）にホールディングする。したがって、画素２ａにはデータ保存手段３２のホールディング電流が記入され、画素２ｂにはデータ保存手段３３のホールディング電流が記入される。
【００７４】
これで、フレーム４の画素１ａには第４サンプル/ホールド回路のホールディング電流が、画素１ｂには第１サンプル/ホールド回路のホールディング電流が、画素２ａには第２サンプル/ホールド回路のホールディング電流が、画素２ｂには第３サンプル/ホールド回路のホールディング電流が記入される。
【００７５】
本発明の第２実施例によると、第１乃至第４サンプル/ホールド回路のサンプリング順序を変更し、スイッチング部３３０が第１及び第２サンプル/ホールド回路グループ３１０、３２０の出力端とデータ線（ｄａｔａ［１］、ｄａｔａ［２］）とをスイッチングすることにより、第１乃至第４サンプル/ホールド回路が互いに同じ回数で画素１ａ、１ｂ、２ａ、２ｂにデータ電流を供給する。したがって、第１乃至第４サンプル/ホールド回路の出力電流の平均値が各画素１ａ、１ｂ、２ａ、２ｂに供給される。
【００７６】
このように、第１乃至第４サンプル/ホールド回路のサンプリング順序を変更する方法として多様な他の実施例が構成でき、後述する第３及び第４実施例がその例である。
【実施例３】
【００７７】
以下、図９乃至図１１を参照して、本発明の第３実施例による逆多重化器の動作を説明する。図９は、本発明の第３実施例によるサンプル/ホールド回路の番号を示したものであって、図５に示された各画素に電流を供給するサンプル/ホールド回路の番号を示したものである。
【００７８】
図１０（Ａ）乃至図１０（Ｄ）は、フレーム１乃至フレーム４において、逆多重化器３００に印加される制御信号を示した波形図である。図１０（Ａ）乃至図１０（Ｄ）では、画素１ａ、１ｂに電流を記入する間の制御信号の波形を示した。図１１は、フレーム１乃至フレーム４におけるスイッチング部３３０の動作を示したものである。
【００７９】
以下、本発明の第３実施例による逆多重化器の動作を説明する。ただし、第２実施例と説明が重なる部分、例えば、フレーム１における逆多重化器３００の動作については説明を省略する。
【００８０】
フレーム２において、図１０（Ｂ）に示されているように、サンプリングスイッチ（Ｓ３、Ｓ４）が順に閉じて、データ保存手段３３、３４が順にサンプリング動作を行う。
【００８１】
その後、サンプリングスイッチ（Ｓ１、Ｓ２）が順に閉じて、データ保存手段３１、３２が順にサンプリング動作を行う。この時、選択信号（Ｓｅｌｅｃｔ［１］）が印加され、ホールディングスイッチ（Ｓ３、Ｓ４）が閉じて、データ保存手段３３、３４のホールディング電流がスイッチング部３３０に出力される。
【００８２】
フレーム２でのスイッチング動作は、図１１に示されているように、第１サンプル/ホールド回路グループ３１０の出力電流をデータ線（ｄａｔａ［１］）に提供し、第２サンプル/ホールド回路グループ３２０の出力電流をデータ線（ｄａｔａ［２］）に提供する。
【００８３】
したがって、データ保存手段３３のホールディング電流がデータ線（ｄａｔａ［１］）を通じて画素１ａに記入され、データ保存手段３４のホールディング電流がデータ線（ｄａｔａ［２］）を通じて画素１ｂに記入される。
【００８４】
その後、画素２ａ、２ｂに選択信号（Ｓｅｌｅｃｔ［２］）が印加され、ホールディングスイッチ（Ｈ１、Ｈ２）が閉じて、データ保存手段３１、３２がサンプリングしておいたデータに対応する電流を、スイッチング部３３０を通じて各々データ線（ｄａｔａ［１］、ｄａｔａ［２］）にホールディングする。
【００８５】
したがって、データ保存手段３１の電流がデータ線（ｄａｔａ［１］）を通じて画素２ａに記入され、データ保存手段３２の電流がデータ線（ｄａｔａ［２］）を通じて画素２ａに記入される。
【００８６】
これで、フレーム２の画素１ａには第３サンプル/ホールド回路のホールディング電流が、画素１ｂには第４サンプル/ホールド回路のホールディング電流が、画素２ａには第１サンプル/ホールド回路のホールディング電流が、画素２ｂには第２サンプル/ホールド回路のホールディング電流が印加される。
【００８７】
フレーム３において、図１０（Ｃ）に示されているように、サンプリングスイッチ（Ｓ４、Ｓ３）が順に閉じて、データ保存手段３４、３３が順にデータ電流をサンプリングする。
【００８８】
その後、サンプリングスイッチ（Ｓ２、Ｓ１）が順に閉じて、データ保存手段３２、３１が順にサンプリング動作を行う。この時、選択信号（Ｓｅｌｅｃｔ［１］）が画素１ａ、１ｂに印加され、ホールディングスイッチ（Ｈ３、Ｈ４）が閉じて、データ保存手段３３、３４がスイッチング部３３０を通じてデータ線（ｄａｔａ［１］、ｄａｔａ［２］）に電流をホールディングする。
【００８９】
フレーム３において、スイッチング部３３０は、図１１に示されているように、第１サンプル/ホールド回路グループ３１０の出力電流をデータ線（ｄａｔａ［２］）に伝達し、第２サンプル/ホールド回路グループ３２０の出力電流をデータ線（ｄａｔａ［１］）に伝達する。
【００９０】
したがって、データ保存手段３３のホールディング電流がデータ線（ｄａｔａ［２］）を通じて画素１ｂに記入され、データ保存手段３４のホールディング電流がデータ線（ｄａｔａ［１］）を通じて画素１ａに記入される。
【００９１】
その後、選択信号（Ｓｅｌｅｃｔ［２］）が印加されると、データ保存手段３１、３２にサンプリングされていたデータに対応する電流が出力され、スイッチング部３３０によってデータ保存手段３１のホールディング電流が画素２ｂに記入され、データ保存手段３２のホールディング電流が画素２ａに記入される。
【００９２】
これで、フレーム３の画素１ａには第４サンプル/ホールド回路のホールディング電流が、画素１ｂには第３サンプル/ホールド回路のホールディング電流が、画素２ａには第２サンプル/ホールド回路のホールディング電流が、画素２ｂには第１サンプル/ホールド回路のホールディング電流が印加される。
【００９３】
フレーム４では、図１０（Ｄ）に示されているように、サンプリングスイッチ（Ｓ２、Ｓ１）が順に閉じて、データ保存手段３２、３１が順にデータ電流をサンプリングする。
【００９４】
その後、サンプリングスイッチ（Ｓ４、Ｓ３）が順に閉じて、データ保存手段３４、３３が順にデータ電流をサンプリングする。また、選択信号（Ｓｅｌｅｃｔ［１］）が画素１ａ、１ｂに印加され、ホールディングスイッチ（Ｈ１、Ｈ２）が閉じて、データ保存手段３１、３２のホールディング電流がスイッチング部３３０に出力される。
【００９５】
フレーム４において、スイッチング部３３０は、図１１に示されているように、第１サンプル/ホールド回路グループ３１０の出力電流をデータ線（ｄａｔａ［２］）に提供し、第２サンプル/ホールド回路グループ３２０の出力電流をデータ線（ｄａｔａ［１］）に提供する。
【００９６】
したがって、データ保存手段３１のホールディング電流がデータ線（ｄａｔａ［２］）を通じて画素１ｂに記入され、データ保存手段３２のホールディング電流がデータ線（ｄａｔａ［１］）を通じて画素１ａに記入される。
【００９７】
その後、画素２ａ、２ｂに選択信号（Ｓｅｌｅｃｔ［２］）が印加され、データ保存手段３３、３４がサンプリングしておいたデータに対応する電流を、スイッチング部３３０を通じて各々データ線（ｄａｔａ［２］、ｄａｔａ［１］）にホールディングする。したがって、画素２ａにはデータ保存手段３４のホールディング電流が記入され、画素２ｂにはデータ保存手段３３のホールディング電流が記入される。
【００９８】
これで、フレーム４の画素１ａには第２サンプル/ホールド回路のホールディング電流が、画素１ｂには第１サンプル/ホールド回路のホールディング電流が、画素２ａには第４サンプル/ホールド回路のホールディング電流が、画素２ｂには第３サンプル/ホールド回路のホールディング電流が記入される。
【００９９】
本発明の第３実施例では、フレーム１での画素１ａ、１ｂ、２ａ、２ｂに電流を供給する電流サンプル/ホールド回路の番号をフレーム２で上下に変更し、フレーム３では、フレーム２でのサンプル/ホールド回路の番号を左右に変更した。また、フレーム４では、フレーム３でのサンプル/ホールド回路の番号を上下に変更した。このように構成して、第１乃至第４サンプル/ホールド回路が互いに同じ回数で画素１ａ、１ｂ、２ａ、２ｂにデータ電流を供給する。
【実施例４】
【０１００】
以下、図１２乃至図１４（Ｂ）を参照して、本発明の第４実施例による逆多重化器の動作を説明する。図１２は、本発明の第４実施例によって画素１ａ、１ｂ、２ａ、２ｂに電流を記入するサンプル/ホールド回路の番号を示したものである。
【０１０１】
図１２に示されているように、本発明の第４実施例によると、フレーム１において、第１乃至第４サンプル/ホールド回路が各々画素１ａ、１ｂ、２ａ、２ｂに電流を記入し、フレーム２乃至４では、全てのフレームのサンプル/ホールド回路の番号を上下に変更した後、走査線（ｓｅｌｅｃｔ［２］）に対応する画素に電流を記入するサンプル/ホールド回路の番号を左右に変更する。
【０１０２】
図１３（Ａ）乃至図１３（Ｄ）は、本発明の第４実施例による逆多重化器３００に印加される制御信号の波形図であり、図１４（Ａ）及び図１４（Ｂ）は、各々奇数番目と偶数番目の走査線が選択される場合の、スイッチング部３００の動作を示したものである。
【０１０３】
以下、本発明の第４実施例による逆多重化器３００の動作を、図１３（Ａ）乃至図１４（Ｂ）を参照して説明する。ただし、フレーム１での動作は第２実施例と同一であるので説明を省略する。
【０１０４】
フレーム２において、図１３（Ｂ）に示されているようにサンプリングスイッチ（Ｓ３、Ｓ４、Ｓ２、Ｓ１）が順に閉じるようになる。
【０１０５】
サンプリングスイッチ（Ｓ３、Ｓ４）が閉じている間、データ保存手段３３、３４が順にサンプリング動作を行う。
【０１０６】
サンプリングスイッチ（Ｓ２、Ｓ１）が順に閉じている間、データ保存手段３２、３１が順にサンプリング動作を行う。また、選択信号（Ｓｅｌｅｃｔ［１］）が印加され、ホールディングスイッチ（Ｈ３、Ｈ４）が閉じて、データ保存手段３３、３４のホールディング電流がスイッチング部３３０を通じてデータ線（ｄａｔａ［１］、ｄａｔａ［２］）に記入される。
【０１０７】
フレーム２において、奇数番目の走査線のスイッチング部３３０の動作は図１４（Ａ）と同一であるので、データ保存手段３３のホールディング電流がデータ線（ｄａｔａ［１］）を通じて画素１ａに記入され、データ保存手段３４のホールディング電流がデータ線（ｄａｔａ［２］）を通じて画素１ｂに記入される。
【０１０８】
その後、画素２ａ、２ｂに選択信号（Ｓｅｌｅｃｔ［２］）が印加され、ホールディングスイッチ（Ｈ１、Ｈ２）が閉じて、データ保存手段３１、３２がサンプリングしておいたデータに対応する電流を、スイッチング部３３０を通じてデータ線（ｄａｔａ［２］、ｄａｔａ［１］）にホールディングする。
【０１０９】
フレーム２において、偶数番目の走査線のスイッチング部３３０の動作は図１４（Ｂ）と同一であるので、データ保存手段３１のホールディング電流がデータ線（ｄａｔａ［２］）を通じて画素２ｂに記入され、データ保存手段３２のホールディング電流がデータ線（ｄａｔａ［１］）を通じて画素２ａに記入される。
【０１１０】
これで、フレーム２の画素１ａには第３サンプル/ホールド回路のホールディング電流が、画素１ｂには第４サンプル/ホールド回路のホールディング電流が、画素２ａには第２サンプル/ホールド回路のホールディング電流が、画素２ｂには第１サンプル/ホールド回路のホールディング電流が印加される。
【０１１１】
フレーム３において、図１３（Ｃ）に示されているようにサンプリングスイッチ（Ｓ２、Ｓ１、Ｓ４、Ｓ３）が順に閉じるようになる。
【０１１２】
サンプリングスイッチ（Ｓ２、Ｓ１）が閉じている間、データ保存手段３２、３１が順にサンプリング動作を行う。
【０１１３】
サンプリングスイッチ（Ｓ４、Ｓ３）が順に閉じている間、データ保存手段３４、３３が順にサンプリング動作を行う。また、選択信号（Ｓｅｌｅｃｔ［１］）が印加され、ホールディングスイッチ（Ｈ１、Ｈ２）が閉じて、データ保存手段３１、３２のホールディング電流がスイッチング部３３０を通じてデータ線（ｄａｔａ［１］、ｄａｔａ［２］）に記入される。
【０１１４】
フレーム３において、奇数番目の走査線のスイッチング部３３０の動作は図１４（Ａ）と同一であるので、データ保存手段３１のホールディング電流がデータ線（ｄａｔａ［２］）を通じて画素１ｂに記入され、データ保存手段３２のホールディング電流がデータ線（ｄａｔａ［１］）を通じて画素１ａに記入される。
【０１１５】
その後、画素２ａ、２ｂに選択信号（Ｓｅｌｅｃｔ［２］）が印加され、ホールディングスイッチ（Ｈ３、Ｈ４）が閉じて、データ保存手段３３、３４がサンプリングしておいたデータに対応する電流を、スイッチング部３３０を通じてデータ線（ｄａｔａ［２］、ｄａｔａ［１］）にホールディングする。
【０１１６】
フレーム３において、偶数番目の走査線のスイッチング部３３０の動作は図１４（Ｂ）と同一であるので、データ保存手段３３のホールディング電流がデータ線（ｄａｔａ［２］）を通じて画素２ｂに記入され、データ保存手段３４のホールディング電流がデータ線（ｄａｔａ［１］）を通じて画素２ａに記入される。
【０１１７】
これで、フレーム３の画素１ａには第２サンプル/ホールド回路のホールディング電流が、画素１ｂには第１サンプル/ホールド回路のホールディング電流が、画素２ａには第４サンプル/ホールド回路のホールディング電流が、画素２ｂには第３サンプル/ホールド回路のホールディング電流が印加される。
【０１１８】
フレーム４において、図１３（Ｄ）に示されているようにサンプリングスイッチ（Ｓ４、Ｓ３、Ｓ１、Ｓ２）が順に閉じるようになる。
【０１１９】
サンプリングスイッチ（Ｓ４、Ｓ３）が閉じている間、データ保存手段３４、３３が順にサンプリング動作を行う。
【０１２０】
サンプリングスイッチ（Ｓ１、Ｓ２）が順に閉じている間、データ保存手段３１、３２が順にサンプリング動作を行う。また、選択信号（Ｓｅｌｅｃｔ［１］）が印加され、ホールディングスイッチ（Ｈ３、Ｈ４）が閉じて、データ保存手段３３、３４のホールディング電流がスイッチング部３３０を通じてデータ線（ｄａｔａ［１］、ｄａｔａ［２］）に記入される。
【０１２１】
フレーム４において、奇数番目の走査線のスイッチング部３３０の動作は図１４（Ａ）と同一であるので、データ保存手段３３のホールディング電流がデータ線（ｄａｔａ［２］）を通じて画素１ｂに記入され、データ保存手段３４のホールディング電流がデータ線（ｄａｔａ［１］）を通じて画素１ａに記入される。
【０１２２】
その後、画素２ａ、２ｂに選択信号（Ｓｅｌｅｃｔ［２］）が印加され、ホールディングスイッチ（Ｈ１、Ｈ２）が閉じて、データ保存手段３１、３２がサンプリングしておいたデータに対応する電流を、スイッチング部３３０を通じてデータ線（ｄａｔａ［１］、ｄａｔａ［２］）にホールディングする。
【０１２３】
フレーム４において、偶数番目の走査線のスイッチング部３３０の動作は図１４（Ｂ）と同一であるので、データ保存手段３１のホールディング電流がデータ線（ｄａｔａ［１］）を通じて画素２ａに記入され、データ保存手段３２のホールディング電流がデータ線（ｄａｔａ［２］）を通じて画素２ｂに記入される。
【０１２４】
これで、フレーム４の画素１ａには第４サンプル/ホールド回路のホールディング電流が、画素１ｂには第３サンプル/ホールド回路のホールディング電流が、画素２ａには第１サンプル/ホールド回路のホールディング電流が、画素２ｂには第２サンプル/ホールド回路のホールディング電流が印加される。
【０１２５】
このように本発明の第４実施例によると、第１乃至第４サンプル/ホールド回路がサンプリングする順序を変更し、奇数番目のフレームと偶数番目のフレームにおいてスイッチング部の動作を互いに異なるように設定することにより、第１乃至第４サンプル/ホールド回路が互いに同じ回数で画素１ａ、１ｂ、２ａ、２ｂにデータ電流を供給するようになる。
【０１２６】
以上では説明の便宜のために１：２逆多重化装置を中心に説明したが、本発明の概念がこれに限定されず、本発明の概念をそのまま利用して多様に変形された１：Ｎ逆多重化装置を構成することができる。
【０１２７】
また、フレーム別に画素に記入される第１乃至第４サンプル/ホールド回路の順序を変更することを説明したが、サブフレーム別にこの動作を行うことが可能であるのはもちろんである。
【０１２８】
以上で本発明の実施例による逆多重化器及びこれを用いたディスプレイ装置について説明した。前記説明された実施例は本発明の概念が最適に適用された実施例であって、本発明の概念が前記実施例に限定されるものではなく、本発明の概念をそのまま利用して多様に変形された実施例を構成できるのは当業者に自明である。
【図面の簡単な説明】
【０１２９】
【図１】本発明の第１実施例による逆多重化器を概念的に示したブロック図である。
【図２】（Ａ）は本発明の一実施例による第１サンプル/ホールド回路を示したものであり、（Ｂ）は（Ａ）に示された回路の等価回路を示したものである。
【図３】本発明の第１実施例による逆多重化器に印加される制御信号の波形を示したものである。
【図４】本発明の第２実施例による逆多重化器を示したものである。
【図５】本発明の第２実施例による逆多重化器に対応する画素グループを例として示したものである。
【図６】本発明の第２実施例による画素に電流を記入するサンプル/ホールド回路の番号を、本発明の第２実施例によって示したものである。
【図７】（Ａ）〜（Ｄ）は各々フレーム１乃至４において、本発明の第２実施例による逆多重化器に印加される制御信号の波形を示したものである。
【図８】フレーム１乃至４における、本発明の第２実施例によるスイッチング部の動作を示したものである。
【図９】本発明の第３実施例による画素に電流を供給するサンプル/ホールド回路の番号を示したものである。
【図１０】（Ａ）〜（Ｄ）は各々フレーム１乃至４において、本発明の第３実施例による逆多重化器に印加される制御信号の波形を示したものである。
【図１１】フレーム１乃至４における、本発明の第３実施例によるスイッチング部の動作を示したものである。
【図１２】本発明の第４実施例による画素に電流を記入するサンプル/ホールド回路の番号を示したものである。
【図１３】（Ａ）〜（Ｄ）はフレーム１乃至４において、本発明の第４実施例による逆多重化器に印加される制御信号の波形を示したものである。
【図１４】（Ａ）〜（Ｂ）は各々奇数番目と偶数番目の走査線が選択された場合の、本発明の第４実施例によるスイッチング部の動作を示したものである。
【図１５】電流の逆多重化が必要な電流駆動ディスプレイ装置の例であって、ＡＭＯＬＥＤディスプレイ装置を示したものである。
【図１６】従来技術の逆多重化器に用いられるアナログスイッチを示したものである。
【符号の説明】
【０１３０】
１０  画素
３１、３２、３３、３４  データ保存手段
１００  有機ＥＬ表示パネル
２００  データ駆動部
３００  逆多重化器
３１０  第１サンプル/ホールド回路グループ
３２０  第２サンプル/ホールド回路グループ
３３０  スイッチング部
４００、５００  走査駆動部
【図１】
2005165281.tif 000003
【図２】
2005165281.tif 000004
【図３】
2005165281.tif 000005
【図４】
2005165281.tif 000006
【図５】
2005165281.tif 000007
【図６】
2005165281.tif 000008
【図７】
2005165281.tif 000009
【図８】
2005165281.tif 000010
【図９】
2005165281.tif 000011
【図１０】
2005165281.tif 000012
【図１１】
2005165281.tif 000013
【図１２】
2005165281.tif 000014
【図１３】
2005165281.tif 000015
【図１４】
2005165281.tif 000016
【図１５】
2005165281.tif 000017
【図１６】
2005165281.tif 000018